(57)【要約】【課題】画像データを暗室内の環境で視認しやすく表示する暗室用表示制御装置を提供する。【解決手段】画像データを暗室内に設置された表示装置に表示する暗室用表示制御装置において、表示装置において画像データが表示される画像表示領域とその他の背景領域とを判別する判別手段と、判別手段によって判別された背景領域を選択的に暗く表示するための表示制御を行う表示制御手段とを備える。【選択図】      図１
2009251454.tif 000002
【特許請求の範囲】
【請求項１】
画像データを前記暗室内に設置された表示装置に表示する暗室用表示制御装置において、
前記表示装置において前記画像データが表示される画像表示領域とその他の背景領域とを判別する判別手段と、
前記判別手段によって判別された背景領域を選択的に暗く表示するための表示制御を行う表示制御手段と
を備えたことを特徴とする暗室用表示制御装置。
【請求項２】
請求項１に記載の暗室用表示制御装置において、
前記表示制御手段に、
前記背景領域に対応するマスク画面を作成し、このマスク画面を前記背景領域の前面に重ねて表示させるマスク表示手段を備えた
ことを特徴とする暗室用表示制御装置。
【請求項３】
請求項２に記載の暗室用表示制御装置において、
前記マスク表示手段は、
前記マスク画面の表示濃度を調整する調整手段を備えた
ことを特徴とする暗室用表示制御装置。
【請求項４】
請求項２に記載の暗室用表示制御装置において、
前記マスク表示手段は、
前記背景領域から予め登録された表示部品に対応する部品領域を抽出する部品抽出手段と、
抽出された部品領域とその他の背景領域とで異なる表示濃度を持つマスク画面を作成するマスク作成手段とを備えた
ことを特徴とする暗室用表示制御装置。
【請求項５】
請求項１に記載の暗室用表示制御装置において、
前記判別手段は、
前記画像表示領域を変更する操作を検出し、前記画像表示領域の位置および大きさを更新する更新手段を備えた
ことを特徴とする暗室用表示制御装置。
【請求項６】
上述した暗室用表示制御装置において、
前記表示制御が不要である旨の制御指示の入力に応じて、前記表示制御手段による前記背景領域についての表示制御を抑止する抑止手段を備えた
ことを特徴とする暗室用表示制御装置。
【請求項７】
請求項６に記載の暗室用表示制御装置において、
前記暗室内の明るさに基づいて、前記表示制御が必要であるか否かを判定し、この判定結果を前記抑止手段に入力する判定手段を備えた
ことを特徴とする暗室用表示制御装置。
【発明の詳細な説明】
【技術分野】
【０００１】
本発明は、顕微鏡などで捉えられた画像を暗室内の環境に適合させて表示するための暗室用表示制御装置に関する。
【背景技術】
【０００２】
撮影した画像データを管理する機能を備えた顕微鏡システムでは、顕微鏡で捉えられた画像データをパーソナルコンピュータ(以下、パソコンと略称する)などに転送して、実験データとともに管理可能とする機能が備えられている。このような顕微鏡システムから転送された画像データは、パソコンのモニタの表示画面に設けられたウィンドウに、様々な実験データや顕微鏡システムを制御するための制御アイコンなどとともに表示される。
【０００３】
ところで、顕微鏡を用いた実験や観察では、蛍光などのように微弱な光を測定したり、その分布を示す画像を撮影したりする場合が多く、顕微鏡システムとともにデータ処理用のパソコンも暗室内に設置したいという要望もある。
【０００４】
しかし、暗室内ではパソコンのディスプレイ装置が非常に明るい照明装置となってしまい、上述したような微弱な光の観察を阻害してしまう場合もある。
【０００５】
このため、従来は、暗室内にパソコンを設置して顕微鏡システムと連動させる場合には、パソコンのディスプレイ装置の輝度調節機能などを利用して表示画面全体の輝度を大幅に低下させるか、パソコンを操作するブースを暗幕で覆うなどしてディスプレイ装置からの光を遮ることにより、顕微鏡による観察への影響を抑えていた。
【０００６】
なお、周囲の明るさに応じて、ディスプレイ装置による表示輝度を調整する手法については、例えば、デジタルカメラに備えられた液晶モニタのバックライトの輝度を制御する技術などが提案されている(特許文献１参照)。
【特許文献１】特開平８−２４２３９８号公報
【発明の開示】
【発明が解決しようとする課題】
【０００７】
例えば、特許文献１に開示された技術を利用して暗室内に設置されたパソコンのディスプレイ装置の表示輝度を調整すると、表示画面全体の輝度が一様に低く調整されるため、顕微鏡システムから転送される画像データの表示輝度も大幅に低下してしまう。しかしながら、顕微鏡を用いて暗室内で観察される画像の多くは、暗い背景に観察対象からの微弱光による像が捉えられた暗視野像であるため、表示輝度を大きく低下させた状態では暗室内でも視認することが困難になってしまう。
【０００８】
また、ディスプレイ装置からの光を暗幕などで物理的に遮る方法では、利用者は暗室内で顕微鏡を操作する環境とパソコンを操作する環境とを往復することになる。この場合は、両者の明るさに大きな違いがあるために、利用者の視覚がそれぞれの明るさに慣れるまで作業が中断され、円滑な作業が阻害されてしまう。
【０００９】
本発明は、画像データを暗室内の環境で視認しやすく表示する暗室用表示制御装置を提供することを目的とする。
【課題を解決するための手段】
【００１０】
上述した目的は、以下に開示する暗室用表示制御装置によって達成することができる。
【００１１】
この暗室用表示制御装置の特徴は、画像データを暗室内に設置された表示装置に表示する暗室用表示制御装置において、表示装置において画像データが表示される画像表示領域とその他の背景領域とを判別する判別手段と、判別手段によって判別された背景領域を選択的に暗く表示するための表示制御を行う表示制御手段とを備える点にある。
【００１２】
また、特に、上述した暗室用表示制御装置において、表示制御手段に、背景領域に対応するマスク画面を作成し、このマスク画面を背景領域の前面に重ねて表示させるマスク表示手段を備えて構成することも可能である。
【発明の効果】
【００１３】
以上に説明した暗室用表示制御装置によれば、暗室内に設置された顕微鏡などで取得された画像を表示装置に表示する際に、背景領域の明るさを画像表示領域とは独立して暗く表示させることにより、表示装置が暗室内を明るく照明してしまう事態を避けながら、暗視野画像のように暗い部分が多い画像を視認しやすい状態で利用者に提供することができる。
【００１４】
これにより、細胞の蛍光観察などのように、周囲の光の混入を嫌う実験などを進める際に、暗室内に顕微鏡システムとパソコンなどのデータ処理装置との双方を設置し、これらの間の連携をより進展させることができる。しかも、物理的な遮光を不要することができ、また、明るさの異なる環境を利用者が往復することも不要となるので、設備コストの面でも利用者の作業能率の面でも非常に有益である。
【発明を実施するための最良の形態】
【００１５】
以下、図面に基づいて、本発明の実施形態について詳細に説明する。
【００１６】
図１に、課題を解決するための手段の項で開示した暗室用表示制御装置の一実施形態を示す。
【００１７】
図１において、パソコン２１０には、顕微鏡装置２０１をコントローラ２０３を介して制御するための顕微鏡コントロールアプリケーションソフトがインストールされている。このアプリケーションソフトには、顕微鏡装置２０１で取得された画像データ(例えば、細胞の蛍光現象を捉えた画像など)や顕微鏡制御用アイコンをパソコン２１０の表示部２１３に表示するための表示ソフトも含まれている。細胞の蛍光現象の観察では、微弱な光を捉える必要があるため、顕微鏡装置２０１を暗室内に設置して、余計な光を排除して実験が行われている。
【００１８】
図１に示した顕微鏡装置２０１の撮像部２０２によって取得された画像信号は、コントローラ２０３に備えられたアナログ／ディジタル変換機(Ａ／Ｄ)２０４によって画像データに変換され、画像処理部２０５による画像処理を経た後に、インタフェース(Ｉ／Ｆ)部２０６を介してパソコン２１０に渡される。
【００１９】
図１に示したパソコン２１０において、コントローラ２０３から渡される画像データは、インタフェース(Ｉ／Ｆ)部２１１を介して画像データ保持部２１２に保持され、後述する表示処理に供される。図１に示した画像データ保持部２１２は、パソコン２１０に備えられたハードディスク装置内に設けることもできるし、また、メモリの一部を割り当てて実現することもできる。
【００２０】
このパソコン２１０に備えられた表示部２１３の表示画面に表示される個々のウィンドウは、オペレーティングシステムの一部であるウィンドウ管理部２１４によって、その位置および大きさを含む情報が管理されている。また、例えば、顕微鏡用のアプリケーションソフトがウィンドウに表示しようとするデータは、このウィンドウ管理部２１４を介して表示データ作成部２１５に渡され、この表示データ作成部２１５により、表示部２１３の表示画面を形成する各画素に対応する表示データが作成される。この表示データに基づいて、表示駆動部２１６が表示部２１３の表示動作を制御することにより、各アプリケーションのウィンドウが表示され、利用者に提供される。また、キーボード２１７やマウス２１８を介して利用者が入力したウィンドウ操作を示す情報は、入力制御部２１９を介してウィンドウ管理部２１４に渡され、ウィンドウ管理部２１４は、入力されたウィンドウ操作を表示部２１３による表示に反映する。
【００２１】
図１に示した表示制御部２２０は、上述した顕微鏡用のアプリケーションの表示機能ソフトによって実現される。この表示制御部２２０において、表示画面作成部２２１は、上述した顕微鏡用のアプリケーションソフトウェアにおいて定義された画面定義情報に基づいて、ウィンドウ管理部２１４からウィンドウの割り当てを受ける。この画面定義情報とは、ウィンドウ表示画面を定義する情報であり、例えば、ウィンドウの表示サイズや表示色および輝度、ウィンドウ内の画像データなどの表示領域やアイコンの種類や位置およびその振る舞いを定義する情報である。また、この表示画面作成部２２１では、上述したようにして顕微鏡装置２０１から受け取って画像データ保持部２１２に保持された画像データや顕微鏡の操作状態を示すデータと、上述した画面定義情報で示された表示領域とを対応付けることにより、このウィンドウに表示するための表示画面を作成し、ウィンドウ管理部２１４に表示を指示する。
【００２２】
また、図１に示した表示領域判別部２２２は、ウィンドウ管理部２１４において管理されているウィンドウの位置を示す情報と上述した画面定義情報とに基づいて、表示部２１３の画面内に割り当てられたウィンドウにおいて顕微鏡装置２０１で取得された画像データが表示されている領域が、表示部２１３の表示画面において占めている画像表示領域を判別する。表示領域判別部２２２は、例えば、図２(ａ)に示すように、ウィンドウ内の画像データが表示部２１３の表示画面において表示されている領域を、その左上の画素と右下の画素の座標によって特定することで、観察対象の画像が表示される画像表示領域とそれ以外の背景領域とを判別することができる。
【００２３】
このようにして得られた判別結果に基づいて、マスク作成部２２３は、図２(ｂ)に示すように、表示部２１３の表示画面全体に対応するサイズを有し、上述した画像表示領域に対応する開口部を持つ、半透明のマスク画面を作成する。例えば、このマスク作成部２２３により、マスク画面の濃度を調整することにより、このマスク画面によって覆われる領域からの光の透過率を半分以下に低減することができる。このようにして作成されたマスク画面をウィンドウ管理部２１４に渡して最前面に表示する旨を指示することにより、顕微鏡用のアプリケーションに対応するウィンドウを含めて、表示部２１３に表示された全てのウィンドウがこのマスク画面に覆われる。これにより、図３に示すように、表示部２１３の表示画面において、顕微鏡装置２０１で取得された細胞の蛍光現象を捉えた画像が表示された画像表示領域以外の部分を選択的に暗く表示させることができる。
【００２４】
図１に示した構成では、表示領域判別部２２２とマスク作成部２２３とにより、観察対象の画像が表示される画像データ表示領域と背景領域とを判別する機能と、背景領域を選択的に暗く表示させるように制御する機能とが果たされている。このマスク作成部２２３によって作成されるマスク画面は、上述したように表示部２１３の全表示領域に対応している。したがって、表示画面作成部２２１からの指示で作成されるウィンドウの大きさにかかわらず、オペレーティングシステムによって管理されているタスクバーなどの領域も背景領域に含めて暗く表示させることができる。
【００２５】
このように構成された暗室用表示制御装置により、暗室内でパソコン２１０に備えられた表示部２１３の表示画面が蛍光観察を含む暗室での実験を妨げる余計な照明となってしまう事態を防ぐことと、暗室内で捉えられた観察対象の画像(特に、細胞の蛍光現象を捉えた画像のように暗い画像)を視認しやすく表示することとの双方を実現することができる。特に、顕微鏡装置２０１によって細胞の蛍光現象を観察して画像を取得する際には、上述したようにしてパソコンの表示部２１３からの光を大幅に低減させたことにより、取得する画像に混入するノイズを減少させることができる。
【００２６】
つまり、暗室内に顕微鏡システムとパソコンなどのデータ処理装置との双方を設置した環境において、余計な照明光の存在を嫌う暗室の環境を維持することと、利用者が観察対象の画像をパソコンの画面において観察しやすくすることとの両立を図り、利用者の作業負担を大幅に軽減することができる。
【００２７】
更に、上述したマスク画面を工夫することにより、利用者がパソコンを操作する際の操作性を向上することもできる。
【００２８】
図４に、暗室用表示制御装置の別実施形態を示す。
【００２９】
なお、図４に示した構成要素のうち、図１に示した構成要素と同等のものについては、同一の符号を付して示し、その説明は省略する。
【００３０】
図４に示した表示領域判別部２２２において、画像エリア更新部２２４は、制御指示受付部２２８を介して渡される画像表示領域に関する操作入力に関する情報とに基づいて、表示制御部２２０によって表示される個々の画像データの表示領域を個別に更新する。また、制御エリア特定部２２５は、ウィンドウに配置された様々な顕微鏡制御のための制御アイコンについての操作入力を示す情報を制御指示受付部２２８を介して受け取り、操作対象となる制御アイコンおよびその操作に応じて表示されるプルダウンリストなどが表示される制御エリアを特定する。
【００３１】
また、図４に示したマスク作成部２２３において、区分画面作成部２２６は、上述した画像エリア更新部２２４によって得られた個々の画像データの表示領域と制御エリア特定部２２５によって得られた制御エリアとに対応する区分を設けた区分画面を作成する。この区分画面に設けられた各区分に、濃度更新部２２７により個別の濃度を設定して作成されたマスク画面が、ウィンドウ管理部２１４を介して表示データ作成部２１５の処理に供される。
【００３２】
以下に、画像表示領域の変更や制御アイコンの操作に応じて、表示画面を適正に制御する方法について詳細に説明する。
【００３３】
図５に、表示画面制御動作を表す流れ図を示す。
【００３４】
図１に示した表示画面制御装置と同様にして、ウィンドウの画面定義情報およびウィンドウの位置を示す情報に基づいて画像表示領域が判別されるとともに、制御エリア特定部２２５により、画面定義情報で示された制御アイコン(例えば、図２(ａ)に符号「ア」を付して示す)が配置されている制御アイコン表示領域が特定される(ステップ３０１)。
【００３５】
このようにして特定された画像表示領域と制御アイコン表示領域とに基づいて、区分画面作成部２２６により、表示部２１３の表示画面を画像表示領域、制御アイコン表示領域および背景領域に区分した区分画面が作成され(ステップ３０２)、濃度設定部２２７により、これらの区分にそれぞれ適切なマスクの濃度が設定される(ステップ３０３)。例えば、濃度設定部２２７により、画像表示領域に対応するマスクの濃度として透明に相当する０パーセントを設定し、背景領域に光の透過率を半分以下に低減する濃度を設定し、また、制御アイコン表示領域に背景領域よりも低い濃度を設定することができる。これにより、画像表示領域と制御アイコン表示領域とが背景領域から区分されたマスク画面が形成される。
【００３６】
このようにして作成されたマスク画面を最前面に表示させることにより(ステップ３０４)、図６(ａ)に示すように、画像データを通常通りの明るさで表示させ、制御アイコンが表示された部分(例えば、図６(ａ)に符号「ア」を付して示す)をそのほかの背景領域よりも明るく表示させることができる。
【００３７】
以下、上述したようにして作成されたマスク画面を利用者による操作に応じて更新することにより、利用者による画面に対する操作に追従させる方法について説明する。
【００３８】
例えば、図６(ａ)に破線で示すように、画像表示領域の境界を移動させる操作がウィンドウ管理部２１４によって検出され、この検出結果を示す情報が図４に示した制御指示受付部２２８に渡されると、この制御指示受付部２２８により、画像表示領域の拡大(あるいは縮小)する旨が指示されたと判断され(ステップ３１５の肯定判定)、上述した検出結果が画像エリア更新部２２４による画像表示領域の更新処理に供される(ステップ３０６)。
【００３９】
このとき、画像エリア更新部２２４は、例えば、制御指示受付部２２８から受け取った検出結果で示された境界の移動量および方向に基づいて、新たな画像データ表示領域の左上の画素および右下の画素の位置を特定することで画像表示領域を更新することができる。このようにして更新された画像表示領域に基づいて、図４に示した区分画面作成部２２６により、新たに区分画面が作成されることで区分画面が更新され(ステップ３０７)、この区分画面の各区分に濃度設定部２２７により適切なマスクの濃度を適用することにより、マスク画面が更新される(ステップ３０８)。
【００４０】
このようにして、図６(ａ)に示したような画像データの表示領域を拡大あるいは縮小する操作に応じて、例えば、破線で示した領域が開口部となるようにマスク画面を更新することにより、画像データが表示されている領域のみが通常通りの明るさで表示され、背景領域が暗く表示されている状態を維持させることができる。
【００４１】
一方、図６(ａ)に示すように、倍率選択のためのプルダウンリストを表示するために設けられたアイコン(図６(ａ)の符号「ア」参照)が操作されたことがウィンドウ管理部２１４から通知された場合に(ステップ３０９の肯定判定)、制御指示受付部２２８を介して操作対象の制御アイコンを示す情報が制御エリア特定部２２５に渡され、操作に伴って変化した制御アイコン表示領域を特定する処理に供される(ステップ３１０)。このとき、制御エリア特定部２２５は、例えば、画面定義情報に基づいて、操作対象の制御アイコンの振る舞いを確認し、プルダウンリストが展開される範囲などを含めて新たな制御アイコン表示領域を特定することができる。
【００４２】
このようにして更新された制御アイコン表示領域に基づいて、区分画面作成部２２６により制御アイコン表示領域に制御アイコンの操作に伴う変化が反映された区分画面が更新され(ステップ３０７)、この区分画面の各区分に濃度設定部２２７により適切なマスクの濃度を適用することにより、図６(ｂ)に符号「イ」を付して示すように、プルダウンリストが展開された部分が背景よりも明るく表示されるようにマスク画面が更新される(ステップ３０８)。
【００４３】
また一方、マスク画面の濃度調整指示のために設けられたアイコンが操作されたことがウィンドウ管理部２１４から通知された場合に(ステップ３１１の肯定判定)、制御指示受付部２２８を介して濃度調整量を示す情報が図４に示した濃度設定部２２７に渡され、濃度調整量に応じて各区分の表示濃度の設定を変更する処理に供される(ステップ３１２)。このとき、濃度設定部２２７は、例えば、制御指示受付部２２８から渡された濃度調整量に基づいて背景領域のマスク濃度を決定し、この背景領域のマスク濃度に基づいて、制御アイコン表示領域に対応する新たなマスク濃度を決定することができる。
【００４４】
このようにして更新された各区分のマスク濃度を適用してマスク画面を更新することにより(ステップ３０８)、利用者からの指示がマスク画面における背景領域および制御アイコン表示領域の表示の明るさに反映される。
【００４５】
また、上述したステップ３１１の否定判定の場合および上述したようにしてマスク画面が更新された後は、ステップ３１３において顕微鏡観察操作が継続されているか否かを判定し、肯定判定の場合は、ステップ３０５に戻ってマスク画面に関する表示制御指示を待つ。一方、顕微鏡用のアプリケーションソフトに対応するウィンドウが閉じられた旨がウィンドウ管理部２１４から通知された場合に(ステップ３１３の否定判定)、顕微鏡観察操作が終了されたと判断され、例えば、マスク作成部２２３により、マスク画面を削除する旨がウィンドウ管理部２１４に依頼され、これに応じて、最前面に表示されていたマスク画面が消去される(ステップ３１４)。
【００４６】
このように、ウィンドウ管理部２１４から受け取った利用者による操作に関する情報に応じて、マスク画面に設けた各区分の位置や大きさおよびそれぞれのマスク濃度を制御することにより、利用者からの指示をマスク画面に反映し、画像データの表示領域や制御アイコンを利用者に視認しやすく表示した状態を維持することができる。また、暗室に適合した表示を必要とする表示制御部２２０に対応するウィンドウが閉じられた場合のように、暗室用の表示制御が不要となったことが示された場合には、上述したようにして、マスク画面を消去することにより、暗室用表示制御の実行が抑止される。
【００４７】
なお、画像表示領域および制御アイコン表示領域の更新は、ウィンドウ管理部２１４によって検出された操作に応じて表示画面作成部２２１によって表示画面が更新されるときに、更新された表示画面に基づいて行うことも可能である。
【００４８】
また、図６(ｂ)に符号「ウ」を付して示すように、ウィンドウ内に画像表示用の枠が設けられており、この画像表示枠内に複数の画像データ（図６(ｂ)において、符号「エ」、「オ」、「カ」を付して示す）が表示される場合に対応することもできる。この場合は、画像エリア更新部２２４により、これらの画像データに対応する個々の画像表示領域について上述した領域の特定処理を行うことにより、これらの画像データが表示されている領域それぞれについての操作をマスク画面に反映する。これにより、上述した画像表示枠(図６(ｂ)の符号「ウ」参照)の画像データそれぞれの表示領域に対応してマスク画面の開口部が設けられるので、上述した画像表示枠における画像データの背景色にかかわらず、確実に、パソコンの表示部２１３の明るさを低減することができる。
【００４９】
一方、例えば、上述した画像表示枠(図６(ｂ)の符号「ウ」参照)において、画像データの背景色が黒色に設定されている場合には、この画像表示枠を開口部としてマスク画面を作成することにより、個々の画像データの表示領域に対応する開口部を設けてマスク画面を作成した場合とほぼ同等の明るさ低減効果を得ることができる。
【００５０】
また、ウィンドウ管理部２１４を介して、表示制御部２２０に対応するウィンドウが最小化されたあるいは他のウィンドウの背後に移動させられたことが通知されたときに、上述したステップ３１４と同様にしてマスク画面を消去して、暗室用表示制御の実行を抑止することもできる。
【００５１】
また一方、図７に示すように、表示制御部２２０にモード切替部２２９を設け、暗室内に備えた光センサ２３０の出力によって暗室内が暗くなったことが示されたときに、このモード切替部２２９が表示領域判別部２２２およびマスク作成部２２３を起動して、上述したようなマスク画面を表示させることもできる。
【００５２】
なお、表示画面作成部２２１に、通常のウィンドウ画面用の画面定義情報とともに、暗室モード用の画面定義情報を準備しておき、暗室モードへの切替入力に応じて、この暗室用画面定義情報に基づいて、顕微鏡装置２０１で取得された画像データが表示される領域以外の表示輝度を通常よりも暗く設定した暗室用ウィンドウ画面を作成することもできる。例えば、上述した暗室モード用の画面定義情報により、暗室用ウィンドウ画面において、顕微鏡操作用のアイコンやデータが表示される領域(図２(ａ)において、符号「イ」「ウ」を付して示した)やウィンドウに共通するメニューなどが表示された枠部分(図２(ａ)において、ウィンドウ枠として示した)の表示輝度を通常の半分以下に設定することができる。このような暗室モード用の画面定義情報に従って、暗室用ウィンドウ画面を作成し、この暗室用ウィンドウ画面を全画面表示させることで、パソコンの表示部２１３の明るさを低減する効果を得ることができる。
【００５３】
また、図１に示したマスク作成部２２３に代えて、表示領域判別部２２２によって背景領域として判別された画素に対応して表示データ作成部２１５によって生成された画像データを直接的に操作する画像データ操作部(図示せず)を設けて構成し、表示制御手段の機能を実現することも可能である。
【図面の簡単な説明】
【００５４】
【図１】暗室用表示制御装置の一実施形態を示す図である。
【図２】マスク画面を説明する図である。
【図３】マスク画面による表示輝度抑制効果を説明する図である。
【図４】暗室用表示制御装置の別実施形態を示す図である。
【図５】表示画面制御動作を表す流れ図である。
【図６】マスク画面を説明する図である。
【図７】暗室用表示制御装置の別実施形態を示す図である。
【符号の説明】
【００５５】
２０１…顕微鏡装置、２０２…撮像部、２０３…コントローラ、２０４…アナログ・ディジタル変換器(Ａ／Ｄ)、２０５…画像処理部、２０６，２１１…インタフェース(Ｉ／Ｆ)部、２１２…画像データ保持部、２１３…表示部、２１４…ウィンドウ管理部、２１５…表示データ作成部、２１６…表示駆動部、２１７…キーボード、２１８…マウス、２１９…入力制御部、２２０…表示制御部、２２１…表示画面作成部、２２２…表示領域判別部、２２３…マスク作成部、２２４…画像エリア更新部、２２５…制御リア特定部、２２６…区分画面作成部、２２７…濃度設定部、２２８…制御指示受付部、２２９…モード切替部、２３０…光センサ。
【図１】
2009251454.tif 000003
【図４】
2009251454.tif 000004
【図５】
2009251454.tif 000005
【図７】
2009251454.tif 000006
【図２】
2009251454.tif 000007
【図３】
2009251454.tif 000008
【図６】
2009251454.tif 000009